(57)【要約】【課題】  遊技者の目を引き易くし、かつ、装飾パネルの交換を容易に行える遊技機を提供する。【解決手段】  収容部３５の側面に設けられた接続端子４６にＥＬシート４５の接続端子４５を接続させ、ＥＬシート３４を収容部３５に仮置きする。枠部材３２のＬ字型突起４１を仮止め穴５０に挿入し、枠部材３２の上面が斜め上方に向くように仮止め状態する。そして、枠部３２ａと保持部４２の間に装飾パネル３３を挿入し、枠部材３２の背面にＥＬシート３４を載置する。その後、枠部材３２を収容部３５に押し込み、係止爪４１と係止穴５１を係合させて枠部材３２を取付部３０ａに固定する。装飾シート３２の交換は、前面扉の裏側から係止爪４１の係合を解除し、枠部材３２を仮止め状態にし、装飾パネル３３を新しい装飾パネルに差し替える。従って、装飾パネル３３の交換作業が容易に行える。【選択図】        図２
2005348814.tif 000002
【特許請求の範囲】
【請求項１】
遊技媒体を受容する受け皿を備えた遊技機において、
前記受け皿の外周壁に連なる遊技機前面の壁に、少なくとも一部に透光部を有する装飾パネルと、
前記装飾パネルを背面から照明する発光体と、
前記装飾パネルを露呈させる枠部材とを配置させる取付部を備え、
前記枠部材は、前記装飾パネル及び前記発光体のうち少なくとも前記装飾パネルを着脱自在に保持し、かつ少なくとも前記装飾パネルと一体にして前記壁に着脱可能とすることを特徴とする遊技機。
【請求項２】
前記発光体及び前記装飾パネルは、前記枠部材に一体に保持されたユニットを形成しており、前記取付部は、前記発光体の発光を制御する制御部と電気的に接続された端子を備えており、前記ユニットが前記取付部に取り付けられることに伴って、前記取付部に設けられた端子と前記発光体に設けられた端子とが接続されることを特徴とする請求項１記載の遊技機。
【請求項３】
前記取付部には前記装飾パネル及び前記発光体を収容する収容部を備え、前記枠部材が前記壁に取り付けられた際に、前記枠部材の前面と前記壁の露呈面が同一面を形成することを特徴とする請求項１または２記載の遊技機。
【発明の詳細な説明】
【技術分野】
【０００１】
本発明は、パチンコ店などの遊技場に設置して使用される遊技機に関するものである。
【背景技術】
【０００２】
パチンコ店等の遊技場に設置されているスロットマシンはパチスロ機と称され、その遊技媒体であるメダルには一定の価値が与えられている。スロットマシンで遊技を行う場合には、所定枚数のメダルを投入口から投入することで遊技を行うことが可能となり、遊技を行って入賞を得た場合には、スロットマシンの内部に設けられたホッパー装置が駆動して、その入賞に対応した所定枚数のメダルが、スロットマシンの前面に設けられた受け皿に払い出される。
【０００３】
スロットマシンの正面に設けられた前面扉には、スロットマシンの機種情報や遊技者の興趣を高める演出を施す図柄や絵柄を表示した各種パネルが設けられている。例えば、筐体内に設けられたリールを視認する表示窓を有した表示パネルには、遊技内容やルール、遊技キャラクタと関係のある図柄や、機種名などのデザインや文字が表示されている。さらに、表示パネルの周囲には外装パネルが設けられている。この外装パネルには、演出を施す図柄の他にＬＥＤや音声発生装置等が設けられており、遊技中または待機中にＬＥＤを点灯させたり、音声を報声させて各種演出が行われる。
【０００４】
また、スロットマシンには、据置き部品と交換部品とから構成されているものがある。据置き部品としては、メダルホッパー、電源ボックス、外装パネルなど各機種に対して共通で使用できる部品であり、交換部品としては、メイン基板、サブ基板、リールユニット、表示パネルなど機種によって異なる仕様の部品である。そのため、遊技場に新しい機種のスロットマシンを導入する際には、交換部品だけを新しい機種の部品に入れ替えることで、コストをかけずに新しい機種に交換することができる。
【発明の開示】
【発明が解決しようとする課題】
【０００５】
しかしながら、表示パネルに遊技内容やルール、遊技キャラクタと関係のある図柄等を表示しているが、遊技者が目を引くような誘目性の高い表示を行うためには、十分な表示スペースが確保できていない。さらに、これまでの遊技機には、遊技媒体を受容する受け皿の外周面及びこの外周面と連なる壁に図柄等を表示させたパネルが設けられていなかった。また、交換部品の入れ替え作業は、スロットマシンを遊技場に設置したままの状態で行う場合が多く、新しい機種の機種名や遊技キャラクタ等が表示されたパネル等の交換作業はできるだけ容易に行える構成にする必要がある。
【０００６】
本発明は、上記問題を解決するために、受け皿の前面に発光体と透光性の装飾パネルを設け、遊技者に対する誘目性を高めると共に、装飾パネルの交換作業を容易に行える遊技機を提供することを特徴とする。
【課題を解決するための手段】
【０００７】
本発明の遊技機は、遊技媒体を受容する受け皿を備えた遊技機において、前記受け皿の外周壁に連なる遊技機前面の壁に、少なくとも一部に透光部を有する装飾パネルと、前記装飾パネルを背面から照明する発光体と、前記装飾パネルを露呈させる枠部材とを配置させる取付部を備え、前記枠部材は、前記装飾パネル及び前記発光体のうち少なくとも前記装飾パネルを着脱自在に保持し、かつ少なくとも前記装飾パネルと一体にして前記壁に着脱可能とするものである。
【０００８】
また、前記発光体及び前記装飾パネルは、前記枠部材に一体に保持されたユニットを形成しており、前記取付部は、前記発光体の発光を制御する制御部と電気的に接続された端子を備えており、前記ユニットが前記取付部に取り付けられることに伴って、前記取付部に設けられた端子と前記発光体に設けられた端子とが接続されるようにしてもよい。また、前記取付部には前記装飾パネル及び前記発光体を収容する収容部を備え、前記枠部材が前記壁に取り付けられた際に、前記枠部材の前面と前記壁の露呈面が同一面を形成するようにしてもよい。
【発明の効果】
【０００９】
本発明によれば、受け皿の外周壁に連なる遊技機前面の壁に、少なくとも一部に透光部を有する装飾パネルと、この装飾パネルを背面から照明する発光体と、前記装飾パネルを露呈させる枠部材とを配置させる取付部を備え、枠部材は装飾パネル及び発光体のうち、少なくとも装飾パネルを着脱自在に保持し、かつ少なくとも装飾パネルと一体にして前記壁に着脱可能としたので、遊技機の情報を表示したり、興趣を高める演出を行う表示スペースを十分に確保できるとともに、遊技者の誘目性を高めることができる。
【００１０】
また、発光体および装飾パネルは、枠部材に一体に保持されたユニットを形成しており、取付部は発光体の発光を制御する制御部と電気的に接続された端子を備え、ユニットが取付部に取り付けられることに伴って、前記取付部に設けられた端子と発光体に設けられた端子が接続されるので、制御部によって発光体を遊技状態に応じて発光させることが可能となり、遊技者の興趣を高めることができる。さらに、発光体の端子を取り付ける煩わしい接続作業が容易に行えるので作業性が向上した。
【００１１】
また、前記取付部には装飾パネル及び発光体を収容する収容部を備え、枠部材が前記壁に取り付けられた際に、枠部材の前面と壁の露呈面とが同一面を形成したので、遊技操作に支障をきたすことなく、意匠性を向上させた。
【発明を実施するための最良の形態】
【００１２】
図１は、本発明を用いたスロットマシンの外観を示す斜視図である。遊技機であるスロットマシン２は、リールユニットや電源装置等を備えた筐体３と、この筐体３の前面で開閉自在の前面扉５とから構成される。
【００１３】
前面扉５は、表示パネル６、外装パネル７、操作部８、メダル払出口９、受け皿１０等から構成されており、図示しない鍵によって遊技場の作業者以外が開けられないように施錠されている。表示パネル６は、筐体３内で回転自在に設けられた第１〜第３リール１２〜１４が透けて見える表示窓１５が設けられている。周知のように、これら第１〜第３リール１２〜１４の外周には様々な絵柄が一定ピッチで配列され、各リールが停止した状態では対応する表示窓１５を通して１リール当たり３個の絵柄が観察されるようになっている。これら表示窓１５の側方にはＬＣＤパネル１６が配置されている。このＬＣＤパネル１６は、遊技時に演出用の画像や動画を表示させることによる演出等を行うために設けられている。さらに、表示窓１５及びＬＣＤパネル１６の周囲には、機種情報や遊技内容などが図柄によって表示されている。
【００１４】
外装パネル７は、表示パネル６の外周を囲むように設けられており、遊技者の誘目性を高めるデザインが施されている。図示しないが、外装パネル７の内側には、入賞した際に点滅して報知を行う報知ランプと、演出時に点灯する演出用ランプが設けられている。
【００１５】
表示パネル６の下方には操作部８が設けられている。この操作部８には、ＭＡＸベットボタン２０、１ベットボタン２１の他に、ストップボタン２３〜２５、スタートレバー２６、ペイアウトボタン２７等の各種の操作ボタンと、遊技媒体であるメダルを投入するメダル投入口２８が設けられている。なお、これら操作ボタンやスタートレバー２６の機能については周知であるため、詳細については省略する。
【００１６】
操作部８の下方には、メダル払出口９及び受け皿１０が設けられており、遊技を行って入賞した場合に、筐体３内に設けられたホッパー装置（図示せず）から入賞に対する配当枚数のメダルがメダル払出口９を介して受け皿１０に払い出される。また、受け皿１０の外周壁に連なるスロットマシン２前面の壁３０（以下、前面壁３０と言う）には、機種名や遊技キャラクタなどが表示されている発光表示部３１が設けられている。
【００１７】
図２にも示すように、発光表示部３１は、枠部材３２、装飾パネル３３、発光体であるＥＬシート３４から構成されている。枠部材３２は、開口３９が形成された枠部３２ａと、この枠部３２ａの両側壁３２ｂ、３２ｃの端面上部に設けられた係止爪４０と、両側壁３２ｂ、３２ｃの端面下部に設けられたＬ字型突起４１と、枠部３２ａの背面、かつ両側壁３２ｂ、３２ｃより内側に設けられた装飾パネル３３を保持する保持部４２から構成されている。保持部４２は略Ｌ字形状をしており、開口３９の短辺に沿って延設されている。装飾パネル３３は保持部４２と枠部３２ａの背面によって形成された隙間に挿入される。係止爪４０及びＬ字型突起４１はともに、枠部３２ａの背面側から収容部３５に向かって突出して設けられている。また、詳しくは後述するが、一方の側壁３２ｃにはＥＬシート３４に設けられた接続端子４５を収容部３５に設けられた接続端子４６に接続させるための切り欠き４７（図３参照）が形成されている。
【００１８】
装飾パネル３３は、透光性を有する部材に、スロットマシン２の機種名や遊技キャラクタ等の図柄が表示されたグラフィックシートを貼り付けたものである。装飾パネル３３は、枠部材３２の開口３９よりもやや大きい板形状をしており、厚みは枠部材３２の保持部４２と枠部３２ａの隙間とほぼ同じである。
【００１９】
発光体であるＥＬ（Ｅｌｅｃｔｏｒｏ  Ｌｕｍｉｎｅｓｃｅｎｃｅ）シート３４は、例えば、ジアミン類などの有機物からなる発光体をガラス基板に蒸着したものであり、例えばＤＣ５〜１０Ｖの電圧を印加すると面状の発光体が発光する。そのため、ＥＬシート３４は給電用のフレキシブルケーブル４８及び接続端子４５を備えている。
【００２０】
前面壁３０には、枠部材３２、装飾パネル３３、ＥＬシート３４が取り付ける取付部３０ａが設けられている。さらに、取付部３０ａは、スロットマシン２の奥行き方向に窪んでおり、装飾パネル３３及びＥＬシート３４を収容可能な収容部３５が形成されている。つまり、取付部３０ａは収容部３５の正面壁となる。取付部３０ａの下部には、枠部材３２に設けられたＬ字型突起４１を挿入する仮止め穴５０が設けられており、取付部３０ａの上部には係止爪４０を挿入させ、枠部材３２を固定する係止穴５１が設けられている。さらに、収容部３５の一方の側壁には、ＥＬシート３４に設けられた接続端子４５を接続させる接続端子４６が設けられている。これにより、スロットマシン２の電源部からＥＬシート３４に給電が行われる。なお、収容部３５に枠部材３２を組み付けると、枠部材３２の露呈面３２ｄが前面壁３０と同一面を形成する。
【００２１】
取付部３０ａに枠部材３２、装飾パネル３３、ＥＬシート３４を組み付ける場合を説明する。図３（Ａ）に示すように、ＥＬシート３４の接続端子４５を収容部３５の接続端子４６に接続させ、ＥＬシート３４を収容部３５の手前側に仮配置する。
【００２２】
次に、図３（Ｂ）に示すように、係止爪４０及びＬ字型突起４１が斜め上方を向くように枠部材３２を斜めに傾けながら、Ｌ字型突起４１を仮止め穴５０に挿入する。これにより、枠部材３２の底面と収容部３５の底面が当接し、かつＬ字型突起４１と仮止め穴５０が当接することによって、枠部材３２は、その上面を斜め上方に向け、かつ上面が収容部３５の外に露呈させて仮止めされる（仮止め状態）。そして、枠部材３２の上方から枠部３２ａと保持部４２の隙間にパネル３３を挿入する（図４（Ａ）参照）。これにより、枠部材３２と装飾パネル３３は一体となる。そして、仮止めされた枠部材３２の背面にＥＬシート３４を載置する。なお、装飾パネル３３は、その正面（機種名等の図柄が表示されている面）を枠部材３２に設けられた開口３９側に向けて挿入する。これにより、枠部材３２の開口３９から装飾パネル３３の正面に表示された機種名等の図柄が露呈する。
【００２３】
次に、図３（Ｃ）に示すように、枠部３２ａの底面と収容部３５の底面が当接している部分を中心にして、枠部材３２を時計回り方向に回転させながら、枠部材３２を収容部３５内に押し込む。このとき図４（Ａ）に示すように、係止爪４０のテイパー部４０ａが係止穴５１の側面に当接しながら係止爪４０が係止穴５１に挿入される。これにより、係止爪４０はテイパー部４０ａに沿って外側に撓みながら係止穴５１に挿入される。テイパー部４０ａが係止穴５１を越えると、撓んでいた係止爪４０は復元力によって再び元の状態に戻ることで、係止爪４０と係止穴５１が係合するので、枠部材３２が収容部３５に固定される（図４（Ｂ）参照）。
【００２４】
また、スロットマシン２を新しい機種に入れ替える際には、交換部品を新しい機種に対応したものに交換する。この時、枠部材３２に挿入されている装飾パネル３３は交換部品であるので、新しい機種名や遊技キャラクタの図柄が表示された新しい装飾パネルに交換しなければならない。この場合は、先ず施錠されている前面扉５を専用の鍵を用いて解錠、開放する。そして、図４（Ｂ）に示す枠部材３２の係止爪４０と係止穴５１の係合を、前面扉５の裏側から解除する。これにより、枠部材３２は図３（Ｂ）に示すように、枠部材３２の上面を斜め上方に向け、かつ枠部材３２の上面を収容部３５から露呈させた仮止め状態になる。そして、保持部４２と枠部３２ａの隙間に挿入されている装飾パネル３３を引き出して、新しいパネルを挿入する。新しいパネルが挿入されると、枠部材３２の底面及び収容部３５の底面に当接している部分を中心にして、枠部材３２を時計回りに回転させながら収容部３５に押し込む。これにより、図３（Ｃ）及び図４（Ｂ）に示すように、係止爪４０が係止穴５１に係合して枠部材３２が取付部３０ａに固定される。よって、新しい機種名や遊技キャラクタの図柄は、ＥＬシート３４によって装飾パネル３３の背面から照明され、照明された図柄は枠部材３２の開口３９から露呈される。
【００２５】
次に、本実施形態の作用を説明する。スロットマシンの前面壁３０に設けられた取付部３０ａに発光表示部３１を取り付けるには、収容部３５の側壁に設けられた接続端子４６にＥＬシート３４の接続端子４５を接続させ、ＥＬシート３４を収容部３５に仮配置させる。枠部材３３のＬ字突起４１を取付部３０ａの仮止め穴５０に挿入させて、枠部材３２をその上面が収容部３５の外側で、かつその上面が斜め上方を向く仮止め状態にする。そして、枠部３２ａと保持部４２の間に装飾パネル３３を挿入し、枠部材３２の背面にＥＬシート３４を載置させ、枠部材３２を収容部３５内に押し込む。これにより、係止爪４０が係止穴５１に係止されて枠部材３２が取付部３０ａに固定される。従って、枠部材３２の開口３９から装飾パネル３３の前面に表示された機種名や遊技キャラクタ等の図柄が露呈されており、さらに、装飾パネル３３の背後に配置されたＥＬシート３４によって装飾パネル３３が照明されているので、装飾パネル３３に表示されている図柄の誘目性を高くしている。なお、本発明で使用したＥＬシート３４は、装飾パネル３３を背面から照明する際に、発光輝度の均一性が良い。さらに、厚みが薄いので設置スペースが少なくてすみ、発光面に熱が発生しない等の利点を有している。
【００２６】
また、スロットマシン２を遊技場に設置したままの状態で、新しい機種に入れ替える際には、スロットマシン２を構成している各種交換部品を新しい機種のものに入れ替える。交換部品の一つである装飾パネル３３は、専用の鍵を用いて前面扉５を解錠、開放し、前面扉５の裏側から枠部材３２の係止爪４０と係合穴５１との係合を解除する。そして、係合を解除された係止爪４０を前面扉５の裏側から押すことによって、図３（Ｂ）に示すように、枠部材３２の上面を斜め上方に向けた仮止め状態となる。枠部材３２の上面から保持部４２と枠部３２ａの隙間に挿入されている装飾パネル３３を新しい機種の装飾パネルに差し替える。そして、再び枠部材３２を収容部３５に押し込み、係止爪４０と係止穴５１とを係合させて枠部材３２を取付部３０ａに固定する。これにより、枠部材３２の露呈面３２ｄと前面壁３０とが同一面を形成する。従って、ＥＬシート３４により照明される装飾パネル３３によって、遊技者に対する誘目性を高めるとともに、興趣も高める演出効果を行うことができる。さらに、容易に装飾パネル３３の入れ替え作業が行える。また、枠部材３２は、施錠された前面扉５を解錠させて、前面扉５の裏側から係止爪４０の係合を解除させなければ、取付部３０ａに取り付けられた枠部材３２を取り外すことができないので、枠部材３２に挿入されている装飾パネル３３や枠部材３２の背面に載置されたＥＬシート３４が盗難されることはない。
【００２７】
また、上記実施形態では、装飾パネル３３、ＥＬシート３４を別々に枠部材３３に保持させてから、枠部材３２を取付部３０ａに取り付けたが、これに限らず、装飾パネル３３、ＥＬシート３４を予め枠部材３２に一体に保持させて表示ユニットを形成し、この表示ユニットを取付部３０ａに取り付けてもよい。この場合は、ＥＬシート３４はフレキシブルケーブル４８を備えず、ＥＬシート３４から直接接続端子４５が設けられているものを用いて、収容部３５の一側壁に設けられた接続端子４６を取付部３０ａに設けることが好ましい。なお、この場合の実施形態は図５を用いて説明するが、上記実施形態と同一構成部材に対しては同一符号を付し、その説明は省略する。
【００２８】
図５に示すように、ＥＬシート５５の一方の端部には、ＥＬシート５５に給電を行う接続端子４５が背面から突出して設けられている。枠部材５６は、装飾パネル３３を保持する保持部４２とともに、ＥＬシート５５を挿入する挿入部５７が設けられている。また、取付部３０ａには、ＥＬシート５５に給電を行う接続端子４６が設けられており、接続端子４６はスロットマシン２に設けられた制御部６０と電気的に接続されている。制御部６０は、遊技状態または待機状態に応じてＥＬシート５５の発光を制御している。
【００２９】
図５（Ａ）に示すように、装飾パネル３３は、その前面が開口３９から露呈するように枠部３２ａと保持部４２の間に挿入される。ＥＬシート５５は、接続端子４５を収容部３５に向けて挿入部５７に挿入される。これにより、装飾パネル３３及びＥＬシート５５が枠部材５６に一体に保持された表示ユニット６１が形成される。
【００３０】
表示ユニット６１を取付部３０ａに取り付ける際には、先ずＬ字型突起４１を仮止め穴５０に挿入し、枠部材５６を除々に収容部３５に押し込んでいく。そして、図５（Ｂ）に示すように、係止爪４０を係止穴５１に係合させて枠部材５６を取付部３０ａに固定する。この時、取付部３０ａに設けられた接続端子４６は、表示ユニット６１のＥＬシート５５に設けられた接続端子４５と対向する位置に設けられており、枠部材５６が取付部３０ａに取り付けられることに伴って、取付部３０ａ及びＥＬシート５５の接続端子４５、４６が接続される。
【００３１】
表示ユニット６１の装飾パネル３３を新しい機種のものに交換する際には、前面扉５の裏側から係止爪４０の係合を外し、係止爪４０を押し出すことで取付部３０ａの接続端子４６とＥＬシート５５の接続端子４５が外れて枠部材５６がその上面を収容部３５から露呈させ、かつその上面を斜め上方に向けた仮止め状態となる。そして、枠部３２ａと保持部４２の間に挿入されている装飾パネル３３を新しい装飾パネルに差し替える。このように、枠部材５６に装飾パネル３３及びＥＬシート５５を一体に保持させた表示ユニット６１にし、枠部材５６を取付部３０ａに着脱に伴って、ＥＬシート５５の接続端子４５と取付部３０ａの接続端子４６の接続、取外しが行われるので、装飾パネル５５を交換する作業性が向上した。
【００３２】
なお、本実施形態では、発光体としてＥＬシートを使用したが、これに限らず、例えばＲ（赤色）光、Ｇ（緑色）光、Ｂ（青色）光の３色のＬＥＤを用いて、遊技中や待機中などの状況に合わせて、装飾パネル３３を照明する色を変えてもよい。また、装飾パネル３３の背面を拡散反射面にしてもよい。この場合は、ＥＬシートからの照明光を効率よく利用することが可能となる。
【００３３】
また、上記実施形態では、受け皿１０の外周壁と連設されたスロットマシン２の前面壁３０にＥＬシート及び装飾パネル３３を収容する収容部３５を設け、枠部材３２の前面３５ｄと前面壁３０の露呈面３２ｄが同一面を形成するように枠部材を収容部３５に取り付けたが、収容部３５を設けずに前面壁３０から枠部材３２が突出するような構成にしてもよい。
【００３４】
また、枠部材を取付部３０ａに取り付ける際に、Ｌ字突起４１と仮止め穴５０に挿通させ、係止爪４０を係止穴５１に係合させて取り付けたが、これに限らず、特殊な冶具を用いて取り付けてもよい。この場合は、枠部材が作業者しか取り外せないので、装飾パネルやＥＬシートの盗難防止となる。
【００３５】
また、受け皿１０にメダルが払い出された場合や、払い出されたメダルを受け皿から使用する場合に、受け皿１０の周囲が激しく振動するので、この振動を緩和させるために受け皿１０の周辺部分にクッション材を設けることが好ましい。この場合には、ＥＬシートに設けられた接続端子４５と、収容部３５または取付部３０ａに設けられた接続端子４６が振動により接触不良を起こすことを防止できる。
【００３６】
なお、取付部３０ａは、装飾パネル３３に表示された図柄等の表示スペースを広く取り、遊技者の誘目性の高めるために、前面壁３０の左右方向、及び上下方向に目一杯のスペースを設けたが、これに限るものではない。
【００３７】
なお、本発明をスロットマシン２に用いて説明したが、遊技媒体としてパチンコ球を使用するパチンコ機や、パロット機等の遊技機に本発明を用いてもよい。
【図面の簡単な説明】
【００３８】
【図１】本発明を用いたスロットマシンの外観斜視図である。
【図２】発光表示部の構成を示す分解斜視図である。
【図３】発光表示部の取り付け方法を説明する断面図である。
【図４】装飾パネルとＥＬシートと枠部材の配置を示す断面図である。
【図５】取付部に表示ユニットを取り付ける方法を示す断面図である。
【符号の説明】
【００３９】
２  スロットマシン（遊技機）
１０  受け皿
３０  前面壁
３１  発光表示部
３２  枠部材
３２ｄ  前面
３３  装飾パネル
３４  ＥＬシート（発光体）
３５  収容部
３９  開口
４０  係止爪
４１  Ｌ字型突起
４５，４６  接続端子
５７  挿入部
６０  制御部
【図１】
2005348814.tif 000003
【図２】
2005348814.tif 000004
【図３】
2005348814.tif 000005
【図４】
2005348814.tif 000006
【図５】
2005348814.tif 000007